(57)【要約】【課題】複数の電線を平面的に配索して圧接や曲げ等を容易にすることを可能とする電線フラット化部材を提供する。また、この電線フラット化部材を用いての、フラットケーブル、ワイヤハーネスの部分的フラット化構造、及び、電線高密度配索構造を提供する。【解決手段】電線フラット化部材１は、板状で可撓性のある基板部６と、基板部６の上面１２上に所望のピッチで形成され電線配索方向Ｐにのびる複数の電線収納溝８と、基板部６の上面１２に立設して各電線収納溝８を形成する複数の溝形成部７と、電線収納溝８側に突出するように各溝形成部７に形成される電線抜け規制部９とを有する。フラットケーブル３は、電線フラット化部材１の電線収納溝８に電線２を収納することにより形成される。【選択図】図１
2009099335.tif 000002
【特許請求の範囲】
【請求項１】
板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する
ことを特徴とする電線フラット化部材。
【請求項２】
請求項１に記載の電線フラット化部材において、
前記一方の面に向けて切り欠かれる切り欠き部を前記溝形成部及び前記電線抜け規制部に複数形成することにより、前記電線配索方向に直交する方向にのびるスリット部を更に複数有する
ことを特徴とする電線フラット化部材。
【請求項３】
請求項２に記載の電線フラット化部材において、
前記電線抜け規制部よりも外側に面ファスナーのループ部を引っ掛けるカギ部を形成する
ことを特徴とする電線フラット化部材。
【請求項４】
請求項２に記載の電線フラット化部材において、
前記電線抜け規制部の外面又はこれよりも外側に平坦な面を形成して両面テープ貼付面とする
ことを特徴とする電線フラット化部材。
【請求項５】
請求項１ないし請求項４いずれか記載の電線フラット化部材において、
前記基板部の他方の面を平坦な面に形成して両面テープ貼付面とする
ことを特徴とする電線フラット化部材。
【請求項６】
請求項１ないし請求項４いずれか記載の電線フラット化部材において、
前記基板部の側部と一番端の前記溝形成部との間に固定部を形成する、又は、前記側部に連続するように固定部を形成する
ことを特徴とする電線フラット化部材。
【請求項７】
板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する電線フラット化部材を備え、該電線フラット化部材の、対応する前記電線収納溝に電線を収納することによりなる
ことを特徴とするフラットケーブル。
【請求項８】
請求項７に記載のフラットケーブルにおいて、
前記電線フラット化部材を複数備えてこれを所望の間隔で配置するとともに、対応する前記電線収納溝に前記電線を収納し、更に、前記電線フラット化部材同士の間となる部分を、圧接部品や機器に設けられる圧接端子を前記電線に対して圧接する圧接部分とする
ことを特徴とするフラットケーブル。
【請求項９】
請求項７に記載のフラットケーブルにおいて、
前記電線フラット化部材を複数備えてこれを所望の間隔で配置するとともに、対応する前記電線収納溝に前記電線を収納し、更に、前記電線フラット化部材同士の間となる部分を前記電線の屈曲配索部分とする
ことを特徴とするフラットケーブル。
【請求項１０】
請求項７に記載のフラットケーブルにおいて、
前記電線フラット化部材を複数備えてこれを所望の間隔で配置するとともに、対応する前記電線収納溝に前記電線を収納し、更に、前記電線フラット化部材同士の間となる部分を前記電線の余長吸収部分とする
ことを特徴とするフラットケーブル。
【請求項１１】
束状となるワイヤハーネスの一部を解して電線を横一列に並べ、該横一列に並んだ電線に対して、板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する電線フラット化部材を、該電線フラット化部材が所望の間隔となるように複数取り付ける
ことを特徴とするワイヤハーネスの部分的フラット化構造。
【請求項１２】
板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する電線フラット化部材の、対応する前記電線収納溝に電線を収納してフラットケーブルを形成し、該フラットケーブルを複数形成した後に、前記基板部の側部を保持する配索板を用いて前記複数のフラットケーブルを積層する
ことを特徴とする電線高密度配索構造。
【発明の詳細な説明】
【技術分野】
【０００１】
本発明は、複数の電線を平面的に配索するための電線フラット化部材に関する。また、この電線フラット化部材を用いての、フラットケーブル、ワイヤハーネスの部分的フラット化構造、及び、電線高密度配索構造に関する。
【背景技術】
【０００２】
従来のフラットケーブル（リボンケーブル）は、帯状の絶縁被覆の中に複数の導体を平行に埋設するように形成されている。絶縁被覆は、導体の周囲を被覆する導体被覆部と、隣り合う導体被覆部同士を連結する連結部とを有している。絶縁被覆は、導体被覆部と連結部とが交互に配置されて帯状に見えるように形成されている。フラットケーブルは、電線を横一列に連結したような状態に形成されている。フラットケーブルは、圧接端子を圧接することによって電気的な接続が行えるように形成されている（例えば下記特許文献１参照）。
【特許文献１】特開２００４−１９３０３６号公報
【発明の開示】
【発明が解決しようとする課題】
【０００３】
フラットケーブルに圧接端子を圧接する場合、圧接端子によって連結部を突き破りながら圧接をするか、予め連結部に貫通孔を追加工してこの貫通孔に圧接端子を差し込むような格好で圧接をするか、のいずれかの接続構造が一般的に採用されている。前者の場合は、接点の品質保証が困難になるという問題点を有しており、後者の場合は追加工が必要になるという問題点を有している。これらの問題点は、フラットケーブルが電線を横一列に連結して１本１本が分離してない状態に形成されることによって生じるものと考えられている。
【０００４】
この他、フラットケーブルに関しては、上記の如く１本１本が分離してない状態に形成されることから、フラットケーブルをＵターンさせるような１８０度方向の曲げをすることは容易であるが、例えば配索方向を同一平面上で左右方向に９０度変えるような曲げは非常に困難であり、これが問題点となっている。すなわち、フラットケーブルは配索方向に制約があるという問題点を有している。
【０００５】
また、フラットケーブルに関しては、このフラットケーブルに余長を持たせる場合、曲げたり伸ばしたりすることが困難な配索方向が出てしまうという問題点を有している。すなわち、フラットケーブルを用いこれに余長吸収構造を形成する場合には、配索方向の制約に配慮して設計しなければならないという問題点を有している。
【０００６】
尚、フラットケーブルでなくワイヤハーネスに関しては、このワイヤハーネスの中間から分岐をする場合、圧接端子を用いて分岐をすることもある。圧接端子を用いて分岐をする場合、ワイヤハーネスの一部を解して電線を横一列に並べる必要があるが、単に横一列に並べるだけでは、並べた電線の位置が不安定になってしまうことから、圧接端子を確実に圧接することができない恐れがあるという問題点を有している。
【０００７】
本発明は、上記事情に鑑みてなされたもので、複数の電線を平面的に配索して圧接や曲げ等を容易にすることを可能とする電線フラット化部材を提供することを課題とする。また、この電線フラット化部材を用いての、フラットケーブル、ワイヤハーネスの部分的フラット化構造、及び、電線高密度配索構造を提供することを課題とする。
【課題を解決するための手段】
【０００８】
上記課題を解決するためになされた請求項１記載の本発明の電線フラット化部材は、板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有することを特徴としている。
【０００９】
このような特徴を有する本発明によれば、基板部の一方の面上に所望のピッチで複数の電線収納溝が形成され、この複数の電線収納溝に電線を各々収納すると、複数の電線が平面的に配索された状態になる。電線収納溝に収納された電線は、電線抜け規制部によって電線収納溝からの抜けが規制される。
【００１０】
請求項２記載の本発明の電線フラット化部材は、請求項１に記載の電線フラット化部材において、前記一方の面に向けて切り欠かれる切り欠き部を前記溝形成部及び前記電線抜け規制部に複数形成することにより、前記電線配索方向に直交する方向にのびるスリット部を更に複数有することを特徴としている。
【００１１】
このような特徴を有する本発明によれば、スリット部により電線フラット化部材の可撓性が向上して使い勝手を良くすることが可能になる。また、スリット部と共に切り欠き部も形成されることから、溝形成部の可撓性が向上して電線に対する収納性も高めることが可能になる。
【００１２】
請求項３記載の本発明の電線フラット化部材は、請求項２に記載の電線フラット化部材において、前記電線抜け規制部よりも外側に面ファスナーのループ部を引っ掛けるカギ部を形成することを特徴としている。
【００１３】
このような特徴を有する本発明によれば、電線フラット化部材を固定する一手段として、面ファスナーを用いて固定することが挙げられる。電線収納溝に収納された電線は、電線抜け規制部の他に面ファスナーでも抜けが規制されることになる。すなわち、二重に抜けが規制されることになる。面ファスナーを用いることにより、電線フラット化部材の着脱を容易にすることが可能になる。
【００１４】
請求項４記載の本発明の電線フラット化部材は、請求項２に記載の電線フラット化部材において、前記電線抜け規制部の外面又はこれよりも外側に平坦な面を形成して両面テープ貼付面とすることを特徴としている。
【００１５】
このような特徴を有する本発明によれば、電線フラット化部材を固定する一手段として、両面テープを用いて固定することが挙げられる。
【００１６】
請求項５記載の本発明の電線フラット化部材は、請求項１ないし請求項４いずれか記載の電線フラット化部材において、前記基板部の他方の面を平坦な面に形成して両面テープ貼付面とすることを特徴としている。
【００１７】
このような特徴を有する本発明によれば、電線フラット化部材を固定する一手段として、両面テープを用いて固定することが挙げられる。
【００１８】
請求項６記載の本発明の電線フラット化部材は、請求項１ないし請求項４いずれか記載の電線フラット化部材において、前記基板部の側部と一番端の前記溝形成部との間に固定部を形成する、又は、前記側部に連続するように固定部を形成することを特徴としている。
【００１９】
このような特徴を有する本発明によれば、電線フラット化部材を固定する一手段として、基板部に形成される固定部を用いて固定することが挙げられる。
【００２０】
上記課題を解決するためになされた請求項７記載の本発明のフラットケーブルは、板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する電線フラット化部材を備え、該電線フラット化部材の、対応する前記電線収納溝に電線を収納することによりなることを特徴としている。
【００２１】
このような特徴を有する本発明によれば、複数の電線を平面的に配索することが可能な電線フラット化部材を複数用いることで、容易にフラットケーブルの形成が可能になる。
【００２２】
請求項８記載の本発明のフラットケーブルは、請求項７に記載のフラットケーブルにおいて、前記電線フラット化部材を複数備えてこれを所望の間隔で配置するとともに、対応する前記電線収納溝に前記電線を収納し、更に、前記電線フラット化部材同士の間となる部分を、圧接部品や機器に設けられる圧接端子を前記電線に対して圧接する圧接部分とすることを特徴としている。
【００２３】
このような特徴を有する本発明によれば、電線フラット化部材同士の間が電線を圧接する部分となる。電線フラット化部材同士の間において、平面的に配索された複数の電線は、電線フラット化部材によって電線間隔がそろった状態、言い換えれば所望のピッチで位置が安定する。電線の位置が安定すれば、電線と圧接端子との圧接が確実に行われ、これにより接点の品質が向上する。尚、圧接端子を有する圧接部品や機器に関しては、例えばコネクタ、ランプ装置、その他の電子機器などが一例として挙げられるものとする。
【００２４】
請求項９記載の本発明のフラットケーブルは、請求項７に記載のフラットケーブルにおいて、前記電線フラット化部材を複数備えてこれを所望の間隔で配置するとともに、対応する前記電線収納溝に前記電線を収納し、更に、前記電線フラット化部材同士の間となる部分を前記電線の屈曲配索部分とすることを特徴としている。
【００２５】
このような特徴を有する本発明によれば、電線フラット化部材同士の間が電線の配索方向を変える部分となる。電線フラット化部材同士の間において、電線同士は連結してないことから、容易に配索方向を変えることが可能になる。
【００２６】
請求項１０記載の本発明のフラットケーブルは、請求項７に記載のフラットケーブルにおいて、前記電線フラット化部材を複数備えてこれを所望の間隔で配置するとともに、対応する前記電線収納溝に前記電線を収納し、更に、前記電線フラット化部材同士の間となる部分を前記電線の余長吸収部分とすることを特徴としている。
【００２７】
このような特徴を有する本発明によれば、電線フラット化部材同士の間が電線の余長を吸収する部分となる。電線フラット化部材同士の間において、電線同士は連結してないことから、容易に曲げたり伸ばしたりすることが可能になる。
【００２８】
上記課題を解決するためになされた請求項１１記載の本発明のワイヤハーネスの部分的フラット化構造は、束状となるワイヤハーネスの一部を解して電線を横一列に並べ、該横一列に並んだ電線に対して、板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する電線フラット化部材を、該電線フラット化部材が所望の間隔となるように複数取り付けることを特徴としている。
【００２９】
このような特徴を有する本発明によれば、ワイヤハーネスを部分的にフラット化して、この部分で圧接をしたりすることが可能になる。電線フラット化部材を用いることで、ワイヤハーネスの所望の位置で分岐をすることが可能になる。
【００３０】
上記課題を解決するためになされた請求項１２記載の本発明の電線高密度配索構造は、板状で可撓性のある基板部と、該基板部の一方の面上に所望のピッチで形成され電線配索方向にのびる複数の電線収納溝と、前記基板部の前記一方の面に立設して前記各電線収納溝を形成する複数の溝形成部と、前記電線収納溝側に突出するように前記各溝形成部に形成される電線抜け規制部と、を有する電線フラット化部材の、対応する前記電線収納溝に電線を収納してフラットケーブルを形成し、該フラットケーブルを複数形成した後に、前記基板部の側部を保持する配索板を用いて前記複数のフラットケーブルを積層することを特徴としている。
【００３１】
このような特徴を有する本発明によれば、電線フラット化部材を用いることで、電線を高密度に配索することが可能になる。
【発明の効果】
【００３２】
請求項１に記載された本発明によれば、複数の電線を平面的に配索する電線フラット化部材を提供することができるという効果を奏する。
【００３３】
請求項２に記載された本発明によれば、電線フラット化部材の使い勝手と電線に対する収納性を高めることができるという効果を奏する。
【００３４】
請求項３に記載された本発明によれば、面ファスナーを用いて電線フラット化部材を固定することができるという効果を奏する。また、容易に電線フラット化部材を着脱することができるという効果を奏する。
【００３５】
請求項４、５に記載された本発明によれば、両面テープを用いて電線フラット化部材を固定することができるという効果を奏する。また、請求項４、５に記載された本発明の効果により、使用形態に応じて両面テープの貼り付け位置を選択することができるという効果を奏する。
【００３６】
請求項６に記載された本発明によれば、基板部に形成した固定部を用いて電線フラット化部材を固定することができるという効果を奏する。
【００３７】
請求項７に記載された本発明によれば、電線フラット化部材を複数用いることで容易にフラットケーブルを形成することができるという効果を奏する。
【００３８】
請求項８に記載された本発明によれば、上記フラットケーブルに関し、接点品質の高い圧接を行うことができるという効果を奏する。
【００３９】
請求項９に記載された本発明によれば、上記フラットケーブルに関し、容易に配索方向を変えることができるという効果を奏する。
【００４０】
請求項１０に記載された本発明によれば、上記フラットケーブルに関し、電線の余長を吸収する部分を形成することができるという効果を奏する。
【００４１】
請求項１１に記載された本発明によれば、電線フラット化部材を複数用いることで容易にワイヤハーネスを部分的にフラット化することができるという効果を奏する。
【００４２】
請求項１２に記載された本発明によれば、電線フラット化部材を用いることで容易に電線を高密度に配索することができるという効果を奏する。
【発明を実施するための最良の形態】
【００４３】
以下、図面を参照しながら説明する。図１は本発明の電線フラット化部材及びフラットケーブルの一実施の形態を示す図であり、（ａ）は電線フラット化部材及びフラットケーブルの斜視図、（ｂ）は電線フラット化部材の正面図（楕円内は拡大図）である。また、図２は電線フラット化部材を用いたフラットケーブルの模式図、図３は電線フラット化部材の拡大斜視図である。
【００４４】
図１において、引用符号１は複数の電線２を平面的に配索する電線フラット化部材を示している。また、引用符号３は電線フラット化部材１を用いることにより形成されるフラットケーブルを示している（図２にもフラットケーブル３を示す）。従来のフラットケーブルは、電線を横一列に連結したような状態に形成されているが、本発明では図示のように電線フラット化部材１を用いて電線２を１本１本平面的に配索することによりフラットケーブル３が形成されている。フラットケーブル３は、所望の位置に電線フラット化部材１を配置して形成されている。
【００４５】
本発明は、電線フラット化部材１を用いて複数の電線２を平面的に配索することができるようになっている。また、電線フラット化部材１を用いることによって、圧接や曲げ等を容易に施すことができるようになっている。具体的には、所望の位置に電線フラット化部材１を配置することにより、電線フラット化部材１同士の間に長さＬのスペースを形成し、この長さＬのスペース部分を、電線２を圧接する部分、電線２の配索方向（フラットケーブル３の配索方向）を変える部分、電線２（フラットケーブル３）の余長を吸収する部分として使用することができるようになっている。以下、上記の各構成部材について説明をする。
【００４６】
電線２は、導体４と、この導体４を被覆する絶縁体５とを備えて構成されている。電線２は、公知のもの（一般電線）が用いられている。ここで説明する電線２は、公知の圧接端子（図示省略）を圧接することに好適なものであるが、外側にシースを有するケーブルを用いることも可能であるものとする。尚、圧接端子を圧接するのではなく、配索方向を容易に変えるという特徴に特化するのであれば、電線２の他に、例えばツイストペアケーブルや光ファイバ等でも平面的に配索してフラットケーブル化することが可能であるものとする。
【００４７】
図１ないし図３において、電線フラット化部材１は、合成樹脂材料（例えば、ナイロンやＰＰ）を用いた樹脂成形品であって、基板部６と、溝形成部７と、電線収納溝８と、電線抜け規制部９と、カギ部１０と、スリット部１１とを有するように形成されている。電線フラット化部材１は、基板部６を１つ有してこれ以外は複数有するように形成されている。
【００４８】
電線フラット化部材１は、この全体が可撓性を有するように形成されている。具体的には、曲げたり捻ったりすることが可能な可撓性を有するように形成されている。
【００４９】
説明の都合上、図１（ａ）中の矢印Ｐを電線配索方向（又は前後方向）、矢印Ｑを電線配索方向Ｐに直交する方向（又は左右方向）、矢印Ｒを上下方向と定義するものとする。
【００５０】
基板部６は、所望の肉厚となる板状で可撓性を有している。基板部６は、平面視矩形状であって、本形態においては帯状となる形状に形成されている（一例であるものとする。例えば、長方形や正方形に形成しても良いものとする）。基板部６は、上面１２（一方の面）及び下面１３（他方の面）とも平坦な面となるように形成されている。
【００５１】
溝形成部７は、基板部６の上面１２に対して直交するように立設されており、後述するがスリット部１１を有することにより、本形態においては突起となる形状に形成されている（形状は一例であるものとする。他の形状に関しては後述する）。溝形成部７は、図示の如く規則性を持って配置されている。溝形成部７は、上面１２の面上に電線収納溝８を形成することができるように配置されている。
【００５２】
電線収納溝８は、電線２を収納する部分として形成されている。電線収納溝８は、上面１２の面上に所望のピッチ（圧接する場合は、圧接端子の配置に考慮したピッチとなる）で配置されている。電線収納溝８は、上記の如く、溝形成部７を上面１２に立設することによって形成されている。電線収納溝８は、電線配索方向となるＰ方向にのびるように形成されている。電線配索溝８は、電線２のサイズに合わせて形成されている。
【００５３】
電線抜け規制部９は、溝形成部７の上部に連成されている。電線抜け規制部９は、電線収納溝８側に突出するように連成されている。電線抜け規制部９は、電線収納溝８に電線２を収納し易く且つ電線収納溝８から電線２が抜け出さないような図示略爪状の形状に形成されている（形状は一例であるものとする。他の形状に関しては後述する）。尚、左右方向となるＱ方向の一番端の溝形成部７に連成される電線抜け規制部９は、電線収納溝８が無い側にも突出しているが、これは無くても良いものとする。本形態においては、成形時のひけ等に配慮してバランス良く両側に配置形成されている。
【００５４】
カギ部１０は、電線抜け規制部９よりも外側（上方）であって溝形成部７の頂部に連成されている。カギ部１０は、図示しない面ファスナーのループ部を引っ掛けることができるようなカギ状の形状に形成されている。カギ部１０は、電線収納溝８に収納された電線２の抜けを電線抜け規制部９の他に面ファスナーでも規制する（電線２の抜けを二重に規制する）ことができるように、また、面ファスナーを用いて電線フラット化部材１を着脱自在に固定することができるように形成されている。
【００５５】
尚、面ファスナーを用いての固定をせずに、別な固定手段を用いて電線フラット化部材１を固定する場合には、カギ部１０を形成しなくても良いものとする。上記の別な固定手段に関しては後述する。
【００５６】
スリット部１１は、電線配索方向となるＰ方向に直交する矢印Ｑ方向にのびるように形成されている。スリット部１１は、所望のピッチで配置形成されている（図中のスリット部１１は一例であるものとする。他の例に関しては後述する）。スリット部１１は、これを形成することにより、電線フラット化部材１の可撓性を向上させて使い勝手を良くすることができるという利点を有している。また、カギ部１０の形成に好適な部分となっている。
【００５７】
上記構成において、電線フラット化部材１を所望の位置に配置し、そして、電線フラット化部材１の対応する電線収納溝８に電線２を順々に収納すると、図１（ａ）及び図２に示す如くフラットケーブル３が形成される。フラットケーブル３は、図示しない面ファスナーを取り付けた固定対象位置に電線フラット化部材１を押し付けて面ファスナーのループ部にカギ部１０を引っ掛けると、電線フラット化部材１が面ファスナーに固定され、これによって配索が完了するようになっている
【００５８】
ここで、電線２の収納に関して説明をする。電線フラット化部材１の対応する電線収納溝８に電線２を収納する際には、図４に示す如くの電線収納治具１４が用いられるようになっている。図４は電線収納治具の一例を示す図である（必要に応じて図１も参照するものとする）。
【００５９】
図４において、電線収納治具１４は、電線２を電線フラット化部材１の対応する電線収納溝８に押し込むことができるように、突条形状の電線押し込み突起１５を複数有している。電線押し込み突起１５は、電線フラット化部材１の電線収納溝８の位置に合わせて形成されている。尚、図４の電線収納治具１４は、電線押し込み突起１５が千鳥となるように配置されているが、図５に示す如く、電線押し込み突起１５の先端位置が斜めに配置されるように形成しても良いものとする。
【００６０】
次に、図６を参照しながら、電線フラット化部材１の固定に関して、他の例を説明する（上記面ファスナー以外の例）。図６は他の例の説明図である。
【００６１】
図６において、電線フラット化部材１を固定する手段としては、基板部６の両側部１６からそれぞれ突出するような固定部１７を一体に形成し、この固定部１７を介して固定することが一例として挙げられるものとする。固定部１７には、例えば、矢印Ｒ（図１参照）の方向（上下方向）に貫通する貫通孔が形成されており、この貫通孔を介してネジ止めがなされると、電線フラット化部材１の固定が完了するようになっている（クランプによる係止であっても良いものとする）。
【００６２】
また、基板部６の側部１６と一番端の溝形成部７との間に固定部１８を形成し、この固定部１８を介して固定することも一例として挙げられるものとする。固定部１８には、例えば、上記固定部１７と同様の貫通孔が形成されており、この貫通孔を介して上記と同様にネジ止めやクランプ係止がなされると、電線フラット化部材１の固定が完了するようになっている。
【００６３】
この他、固定部１７や１８を形成しないで電線フラット化部材１を固定する例を挙げるとすると、基板部６の下面１３（他方の面）が平坦な面となるように形成されていることから、この下面１３に両面テープ（図示省略）を貼り付けて、両面テープによって固定対象位置に固定することが一例として挙げられるものとする。
【００６４】
尚、両面テープによる固定に関しては、次のような固定も一例として挙げられるものとする。図７（ａ）、（ｂ）は電線フラット化部材の他の例を示す拡大正面図である。
【００６５】
図７（ａ）において、電線フラット化部材１９は、基板部６と、溝形成部７と、電線収納溝８と、電線抜け規制部９と、両面テープ貼付部２０と、図示しないスリット部とを有するように形成されている。電線フラット化部材１９は、上記電線フラット化部材１のカギ部１０を両面テープ貼付部２０に変更したものと同じに形成されている。両面テープ貼付部２０には、両面テープ貼付面２１が形成されている。電線フラット化部材１９は、両面テープ貼付面２１に両面テープ（図示省略）を貼り付けると、固定対象位置に固定することができるようになっている。
【００６６】
図７（ｂ）において、電線フラット化部材２２は、基板部６と、溝形成部７と、電線収納溝８と、電線抜け規制部２３と、両面テープ貼付面２４と、図示しないスリット部とを有するように形成されている。両面テープ貼付面２４は、電線収納溝８側に突出する電線抜け規制部２３の外面（上面）と、溝形成部７の頂部とに跨って形成されている。電線フラット化部材２２は、両面テープ貼付面２４に両面テープを貼り付けると、固定対象位置に固定することができるようになっている。
【００６７】
電線抜け規制部２３は、図１に示される電線抜け規制部９の変形例であり、電線抜け規制部２３のような形状であっても、電線収納溝８に電線２を収納し易く且つ電線収納溝８から電線２が抜け出さないように形成されている。
【００６８】
続いて、上記以外の変形例について説明する。図８（ａ）は図１及び図３の電線フラット化部材１の拡大斜視図、図８（ｂ）、（ｃ）は他の例を示す拡大斜視図である。
【００６９】
図８（ａ）において、これまで説明してきた電線フラット化部材１は、スリット部１１の幅（前後方向の長さ）が電線収納溝８の幅（左右方向の長さ）よりも大きくなるように形成されている。幅広のスリット部１１は一例であり、図８（ｂ）に示す如く、スリット部２５の幅が電線収納溝８の幅よりも狭くなるような電線フラット化部材２６を形成しても良いものとする。
【００７０】
図８（ｃ）にはスリット部を形成しない電線フラット化部材２７が示されている。すなわち、溝形成部７、電線収納溝８、電線抜け規制部９、及びカギ部１０が電線配索方向に長くのびてスリット部が存在しない形状の電線フラット化部材２７が図８（ｃ）に示されている。本発明は、このような電線フラット化部材２７を用いても良いものとする。
【００７１】
電線フラット化部材２７に関し、基板部６の上面１２に向けて切り欠く切り欠き部（図示省略）を溝形成部７、電線抜け規制部９、及びカギ部１０に複数形成すると、図８（ａ）、（ｂ）に示す如くのスリット部１１や２５が形成される（上記電線フラット化部材１や２６が形成される）。
【００７２】
以上、図１ないし図８を参照しながら説明してきたように、本発明によれば、複数の電線２を平面的に配索する電線フラット化部材１を提供することができる。また、本発明によれば、電線フラット化部材１を複数用いることで容易にフラットケーブル３を形成することができる。
【００７３】
本発明によれば、図１に示す如く、電線フラット化部材１同士の間に長さＬのスペースを形成し、この長さＬのスペース部分を電線２を圧接する部分とした場合、電線フラット化部材１によって電線２の間隔がそろった状態、言い換えれば所望のピッチで電線２がそろい位置が安定した状態になることから、圧接端子との圧接を確実に行うことができる。従って、接点の品質を従来よりも向上させることができる。
【００７４】
また、本発明によれば、長さＬのスペース部分を、電線２の配索方向（フラットケーブル３の配索方向）を変える部分、電線２（フラットケーブル３）の余長を吸収する部分として使用することもできることから、配索方向の制約に係る従来の問題点を解消することができる。
【００７５】
続いて、電線フラット化部材１の使用例について説明する。図９はワイヤハーネス２８を部分的にフラット化した状態を示す模式図である。また、図１０は電線２を高密度に配索した状態を示す断面図である。
【００７６】
図９において、束状となるワイヤハーネス２８の一部を解して電線２を横一列に並べ、この横一列に並んだ電線２に対して電線フラット化部材１を所望の間隔で複数取り付けると、ワイヤハーネス２８であっても圧接や曲げ等を容易に施すことが可能な部分を形成することができる。電線フラット化部材１は、ワイヤハーネス２８の一部をフラットケーブル化するのに好適であるとも言える。
【００７７】
尚、特に図示しないが、フラットケーブル３の端末にコネクタを設け、このコネクタを用いてワイヤハーネスとコネクタ接続することも当然に可能であるものとする（この場合もワイヤハーネスの一部を部分的にフラット化した状態になる）。
【００７８】
図１０において、電線フラット化部材１を用いてフラットケーブル３を形成し、このフラットケーブル３を図示の如く積層すると、電線２を高密度に配索することができる。引用符号２９は電線フラット化部材１の基板部６における一方の側部１６を保持する配索板を示している。この配索板２９には、基板部６を保持する部分の一例として基板部保持溝３０が所望のピッチで複数形成されている。
【００７９】
この他、本発明は本発明の主旨を変えない範囲で種々変更実施可能なことは勿論である。
【００８０】
尚、電線フラット化部材１を電線２に対するプロテクタとして流用することも可能である。
【図面の簡単な説明】
【００８１】
【図１】本発明の電線フラット化部材及びフラットケーブルの一実施の形態を示す図であり、（ａ）は電線フラット化部材及びフラットケーブルの斜視図、（ｂ）は電線フラット化部材の正面図（楕円内は拡大図）である。
【図２】電線フラット化部材を用いたフラットケーブルの模式図である。
【図３】電線フラット化部材の拡大斜視図である。
【図４】電線収納治具の一例を示す図であり、（ａ）は正面図、（ｂ）は側面図、（ｃ）は底面図である。
【図５】電線収納治具の他の例を示す底面図である。
【図６】電線フラット化部材の固定に関する他の例の説明図である。
【図７】（ａ）、（ｂ）は電線フラット化部材の他の例を示す拡大正面図である。
【図８】（ａ）は図１及び図３の電線フラット化部材の拡大斜視図、（ｂ）、（ｃ）は電線フラット化部材の他の例を示す拡大斜視図である。
【図９】ワイヤハーネスを部分的にフラット化した状態を示す模式図である。
【図１０】電線フラット化部材を用いて電線を高密度に配索した状態を示す断面図である。
【符号の説明】
【００８２】
１  電線フラット化部材
２  電線
３  フラットケーブル
４  導体
５  絶縁体
６  基板部
７  溝形成部
８  電線収納溝
９  電線抜け規制部
１０  カギ部
１１  スリット部
１２  上面（一方の面）
１３  下面（他方の面）
１４  電線収納治具
１５  電線押し込み突起
１６  側部
１７、１８  固定部
１９  電線フラット化部材
２０  両面テープ貼付部
２１  両面テープ貼付面
２２  電線フラット化部材
２３  電線抜け規制部
２４  両面テープ貼付面
２５  スリット部
２６  電線フラット化部材
２７  電線フラット化部材
２８  ワイヤハーネス
２９  配索板
３０  基板部保持溝
【図１】
2009099335.tif 000003
【図２】
2009099335.tif 000004
【図３】
2009099335.tif 000005
【図４】
2009099335.tif 000006
【図５】
2009099335.tif 000007
【図６】
2009099335.tif 000008
【図７】
2009099335.tif 000009
【図８】
2009099335.tif 000010
【図９】
2009099335.tif 000011
【図１０】
2009099335.tif 000012